(57)【要約】【課題】コンパクトに形成することができ、高コスト効率で製造および組立ができ、自動車のドアを作動させるのに適するスピンドル駆動装置を備える調節装置を提供する。【解決手段】自動車（１）の後部ドア（２）を作動させるためのスピンドル駆動装置（１１）を有する調節装置（３）であって、電気モータ駆動装置（１００）によって回転させられるスピンドル（１３）と、このスピンドル（１３）が回転すると、格納された静止位置から延出した位置まで、ガイド凹部（２４）内をスピンドル（１３）の長手方向軸（１６）に沿って移動できるスピンドルナット（１５）を備えている。また、スピンドル（１３）の長手方向軸（１６）の方向に延びる管状のスピンドルナット（１５）を備えるスピンドル駆動装置（１１）も提案する。スピンドルナット（１５）のプッシュロッド状部分は、自動車（１）の後部ドア（２）などに対し、結合部（６）を介して作用する。【選択図】図２
2009531572.tif 000002
【特許請求の範囲】
【請求項１】
電気モータ駆動装置（１００）によって回転させることができるスピンドル（１３）と、前記スピンドル（１３）が回転すると、引込めた静止位置から延出した位置まで、ガイド凹部（２４）内を前記スピンドル（１３）の長手方向軸（１６）に沿って移動できるスピンドルナット（１５）とを有する、自動車（１）の後部ドア（２）を自動的に作動させるためのスピンドル駆動装置（１１）を備え、
前記スピンドルナット（１５）は、一体部品としてデザインされて、スピンドル（１３）の長手方向軸（１６）の方向に延びる管状プッシュロッドの形態を有しており、このプッシュロッドは、前記スピンドル（１３）の前部を越えた静止位置まで延びており、かつ調節するべき自動車（１）の後部ドア（２）に、前記スピンドルナット（１５）を取り付けるための結合部（６）に配置できる前端部（１７）を備えていることを特徴とする調節装置。
【請求項２】
前記スピンドルナット（１５）は、その外面に、ガイド凹部（２４）に係合する少なくとも１つのガイド突起（２３）を備えていることを特徴とする、請求項１に記載の調節装置。
【請求項３】
スピンドルナット（１５）は、スピンドル（１３）に螺合する雌ねじ（２０）を備える部分を有することを特徴とする、請求項１または２に記載の調節装置。
【請求項４】
スピンドルナット（１５）の雌ねじ（２０）を備える部分の幅（２１）は、少なくともスピンドル（１３）の直径と等しいことを特徴とする、請求項３に記載の調節装置。
【請求項５】
スピンドルナット（１５）の雌ねじ（２０）を備える部分は、電気モータ駆動装置（１００）に面するスピンドルナット（１５）の端部にあることを特徴とする、請求項３または４に記載の調節装置。
【請求項６】
前端部（１７）も、同様に、スピンドルナット（１５）に結合された一体部品であることを特徴とする、請求項１に記載の調節装置。
【請求項７】
スピンドルナット（１５）は、鋼からなることを特徴とする、請求項１〜６のいずれか１項に記載の調節装置。
【請求項８】
スピンドルナット（１５）は、その外周面に円周方向に均一に配置された、歯車の形態に構成された複数のガイド突起（２３）を備えることによって、案内されていることを特徴とする、請求項１〜７のいずれか１項に記載の調節装置。
【請求項９】
スピンドルナット（１５）は、このスピンドルナット（１５）を横方向に取り囲む管状ガイド（２６）を備えていることにより案内され、この管状ガイド（２６）の側壁（２５）は、前記スピンドルナット（１５）のガイド突起（２３）が係合する軸方向に延びたガイド凹部（２４）を備えていることを特徴とする、請求項１〜８のいずれか１項に記載の調節装置。
【請求項１０】
管状ガイド（２６）は、その前端に、スピンドルナット（１５）の移動を制限するための、径方向内側に延びるビーズ型突起（２７）を備えていることを特徴とする、請求項９に記載の調節装置。
【請求項１１】
ビーズ型突起（２７）は、スピンドルナット（１５）が軸方向に運動している際に、このスピンドルナット（１５）を横方向に支持するようにデザインされていることを特徴とする、請求項１０に記載の調節装置。
【請求項１２】
管状ガイド（２６）は、一体部品としてデザインされていることを特徴とする、請求項１０または１１に記載の調節装置。
【請求項１３】
電気モータ駆動装置（１００）、およびその下流側に結合されたスピンドル駆動装置（１１）は、管状ハウジング（７）内において、軸方向に互いに前後に配置されていることを特徴とする、請求項１〜１２のいずれか１項に記載の調節装置。
【発明の詳細な説明】
【技術分野】
【０００１】
本発明は、添付の特許請求の範囲の請求項１の前文に記載されている特徴を有する、自動車のドアを自動的に作動させるためのスピンドル駆動装置を備える調節装置に関する。この明細書において記載する「自動車のドア」は、自動車の側面のドアだけではなく、後部ドアや、荷物室の扉などをも含むものであることを理解されたい。
【背景技術】
【０００２】
例えば、特許文献１に記載されているように、自動車の側面のドアを自動的に開閉するために、スピンドル駆動装置を有する調節装置が使用されている。このスピンドル駆動装置は、電気モータの駆動で回転させることができるスピンドルと、このスピンドルが回転すると、格納された静止位置から延出位置まで、ガイド内をスピンドルの長手方向軸に沿って移動させられるスピンドルナットとを有する。
【０００３】
スピンドルの両端部は、ピボット軸受によって支持されている。スピンドルナットは、管状ガイドのスロット型ガイドを介して係合する２つのガイド突起によって案内される。この構成では、側面のドアを作動させるために、スピンドルナットのガイド突起を、管状ガイドの横方向外側に配置されたリンク機構に接続してから、このリンク機構を自動車のボディに接続する必要がある。
【０００４】
この公知の調節装置の不都合な点は、製造の際に、きわめて大きな空間と、スピンドル駆動装置のための多数種の部品が必要であるため、調節装置の組立作業に時間がかかり、これに伴い、装置のコストが高くなることである。
【０００５】
特許文献２には、自動車の後部ドアを作動させるためのスピンドル駆動装置を有する調節装置が開示されている。この装置では、スピンドルナットが、リンク機構を介して、後部ドアのヒンジストラップに作用する。しかしこの特許文献２は、スピンドルナットガイド、およびリンク機構の構造的デザインについての詳細な情報については、一切記載していない。
【０００６】
一般に、後部ドアを開けるために設けられている従来のガススプリングの代わりに、コストを許容範囲内に保ったまま、自動車の後部ドアを自動的に作動させるために、公知の調節装置を用いるのは困難である。この場合、多数の構成要素から構成されうるスピンドル駆動装置の製造は、高コストというだけではなく、大きな軸方向の力（最大３０００Ｎ）を伝達するために、個々の構成要素間の連結部（ピン、ねじ、溶接など）を、大きな手法にしなければならないため、非常に大きな空間が必要となる。さらに、追加として必要になるリンク機構は、自動車の荷物室に対する積み下ろしの妨げになる。
【特許文献１】米国特許第３，３９８，４８４号明細書
【特許文献２】独国特許第１０１１７９３５ Ａ１号明細書
【発明の開示】
【発明が解決しようとする課題】
【０００７】
本発明は、上記の問題点を解決するためになされたものであり、コンパクトに形成することができ、高コスト効率で製造および組立ができ、自動車のドア、特に後部ドアを自動的に作動させるのに適し、後部ドアを作動させるために用いられる場合には、後部ドアを開けるために用いられるガススプリングと同様の要領で、自動車に装着できるような寸法にデザインされた、スピンドル駆動装置を有する調節装置を提供することを目的としている。
【課題を解決するための手段】
【０００８】
この目的は、本発明によると、添付の特許請求の範囲の請求項１に記載されている特徴事項によって達成される。さらに、本発明の特に有利な実施形態を、従属請求項に記載してある。
【０００９】
本発明は、本質的に、スピンドル駆動装置を有する調節装置を用いるという考えに基づいている。この調節装置は、スピンドルの長手方向軸の方向に延びた管状プッシュロッドの形態を有する、ガイド突起を備える一体部品であるスピンドルナットを備えている。スピンドルナットのこのプッシュロッド部分は、調節する自動車の部品、すなわち自動車の後部ドアなどに直接に、または対応する結合部品を介して作用する。
【００１０】
一体化されたプッシュロッド、および一体化されたガイド突起などを備えたこのようなスピンドルナットは、例えば、精密鋼管をカットすることなく、少数の工程で適宜成形される公知の成形技術によって、比較的コスト効率良く形成することができる。
【００１１】
従来の駆動装置のリンク機構の代わりとなるプッシュロッドは、この場合にはスピンドルナットの一部であるため、構造全体をきわめて小型に形成できるだけではなく、分離した構成要素の軸方向の力、またはねじり力を伝達する際に頻繁に生じる問題も解消される。
【００１２】
実際の試験から分かったが、スピンドルナットは、通常は、その一部のみに、スピンドルに係合する雌ねじ部分を有していれば十分である。これに関連して、雌ねじ部分の幅は、少なくともスピンドルの直径と等しくするべきである。さらに、スピンドルナットの雌ねじを備える部分が、電気モータ駆動装置に面したスピンドルナットの端部に位置していると有利であることが実証された。
【００１３】
スピンドル駆動装置を、コスト効率良く製造し、かつ故障がないように力を伝達するために、連結部品（例えば、傾斜結合部）に結合するために必要なスピンドルナットの結合部を、スピンドルナットに結合して一体部品とすること、すなわち、成形工程によって、スピンドルナット構成する鋼管に組み込むと有利である。
【００１４】
スピンドルナットを均一に案内するためには、スピンドルナットの外周面に、均一に配置された複数のガイド突起を設け、このガイド突起の部分の断面を、ほぼ歯車の形態を有するものとすることが有利であることが実証された。
【００１５】
本発明の一実施形態では、スピンドルナットは、このスピンドルナットを横方向に取り囲む管状ガイドを設けたことにより案内される。管状ガイドの内壁には、スピンドルナットの外周面のガイド突起が係合する軸方向に延びるガイドが設けられている。
【００１６】
スピンドルナットが、可能な限り遊びなく案内されるようにするために、管状ガイドの前部には、スピンドルナットが軸方向に運動する際に、このスピンドルナットを横方向に支持し、かつスピンドルナットの延出位置を制限する径方向内側に延びるビーズ型突起が設けられている。
【００１７】
また、管状ガイドは、適当な金属管をカットすることなく、適切な成形工程を施すことにより形成するのが好ましい。
【００１８】
本発明のさらなる詳細および利点は、添付の図面を参照して後述する、例示的な実施形態から明らかになると思う。
【発明を実施するための最良の形態】
【００１９】
図１は、本発明による調節装置３によって、閉じた位置から図１の開いた位置、適切な場合には、再び閉じた位置へ旋回しうる後部ドア２を有する自動車１を示している。本発明による調節装置３は、この場合、第１の傾斜結合部４によって自動車１のボディ５に結合され、第２の傾斜結合部６によって、後部ドア２に結合されている。したがって、従来、自動車の後部ドア２を開けるために設けられているガススプリングの代わりとなっている。
【００２０】
図２から分かるように、調節装置３は、軸方向下流に結合された非自己固定型変速ユニット９、および電気モータ８からなる電気モータ駆動装置１００が内部に配置された管状ハウジング７を有する。スピンドル駆動装置１１は、電気モータ駆動装置１００の出力シャフト１０に結合されている。
【００２１】
第１のボールソケット１２は、ハウジング７のモータ側の端部に横方向に固定されており、このボールソケット１２は、調節装置３に固定される第１の傾斜結合部４の一部である。
【００２２】
スピンドル駆動装置１１は、鋼からなるスピンドル１３と、同様に鋼からなるスピンドルナット１５から構成されている。スピンドル１３は、その変速ユニット９に近い部分において、ハウジング７に結合されたスピンドル軸受１４内で横方向に支持されている。
【００２３】
図３に示すように、スピンドルナット１５は、スピンドル１３の長手方向軸１６の方向に延びた管状プッシュロッドの形態を有する一体部品としてデザインされている。このプッシュロッドは、スピンドル１３の前部を越えて延出している。このような一体部品のデザインは、複数の要素からなるアセンブリよりも低コストであるばかりではなく、品質に優れ、かつ熱膨張係数が異なるなどの、材料が異なることによる問題を、有効に防止することができる。
【００２４】
この場合、スピンドルナット１５の前端部１７は、ディスク型ストッパー１８、および第２のボールソケット１９の両方が固定される結合部としてデザインされている（図２を参照）。ボールソケット１９は、調節装置３に固定される第２の傾斜結合部６の一部である。
【００２５】
スピンドルナット１５は、電気モータ駆動装置１００に近い方の端部領域に、スピンドル１３に螺合する雌ねじ２０を備えている。この雌ねじは、長手方向軸１６の方向に見て、スピンドル１３の直径の約２．５倍に相当する幅２１を有している。
【００２６】
スピンドルナット１５の管状空洞部２２において、雌ねじ２０の前方に延びているスピンドル１３の領域は、自立するように構成されている。
【００２７】
スピンドルナット１５は、その外周面に亘って均一に配置された、図４の歯車の形態の構造を有する複数のガイド突起２３によって案内されている。これらのガイド突起２３は、スピンドルナット１５を案内するために設けられた管状ガイド２６（図５および図６）の内壁２５の対応するガイド凹部２４に係合している。この管状ガイド２６は、スピンドルナット１５を取り囲んでおり、スピンドル軸受１４に固定されている。
【００２８】
管状ガイド２６の前部には、径方向内側に延びるビーズ型突起２７が設けられている。この突起２７は、スピンドルナット１５が、その静止位置（図２）から延出位置（図１）に移動して、ガイド突起２３がこの突起２７に当接すると、その移動を停止させる。さらに、突起２７は、スピンドルナット１５が長手方向軸１６に沿って移動する際に、このスピンドルナット１５を案内するようにデザインすることもできる。
【００２９】
図２から分かるように、管状ガイド２６は、円筒コイルばね２８によって取り囲まれている。この円筒コイルばね２８は、スピンドル軸受１４に配置されたその第１の端部２９と、ストッパー１８に配置されたその第２の端部３０によって支持されている。円筒コイルばね２８は、図２に示すように、スピンドルナット１５の静止位置で予負荷されている。
【００３０】
円筒コイルばね２８の外面は、保護管３４によって覆われている。この保護管３４は、円筒コイルばね２８の外面を覆うだけではなく（遮蔽カバー）、円筒コイルばね２８が座屈するのを防止し、調節装置３の内部を、厳しい外部環境から保護している。保護管３４は、ディスク型ストッパー１８に固定され、かつハウジング７内を軸方向に移動できるように構成されている。
【００３１】
円筒コイルばね２８のばね定数は、電気モータ駆動装置１００が停止していて後部ドア２が部分的に開いた位置にあると、後部ドアが、円筒ばねに対抗する方向の摩擦力（例えば、スピンドル駆動装置、変速ユニット、およびブレーキ装置３２の摩擦力）によって開かずに、部分的に開いた状態に維持されるように選択されている。しかし、予め荷重された円筒ばね２８が、後部ドア２が開くのを補助するため、後部ドア２を開位置に移動させるために、電気モータ駆動装置１００を駆動させる際に必要な力は、比較的小さい力で済む。上記した円筒ばね２８のデザインでは、後部ドア２を閉じるために、電気モータ駆動装置１００が必要とする力の大きさも比較的小さい。
【００３２】
電気モータ駆動装置１００のスイッチがオフの場合に、自動車が異なる姿勢（例えば、斜面にある場合）でも、後部ドア２がその位置を変えないようにするために、調節装置３は、電気モータ駆動装置１００とスピンドル駆動装置１１との間に位置するシャフト部３３に作用する制御可能なブレーキ装置３２（制御装置は、例えば電子式制御装置であるが、図を見やすくするために不図示とした）を追加して設けることができる。
【００３３】
円筒ばね２８の移動によって決まる力のプロフィール、および後部ドア２の旋回位置によって決まる重量の両方を補償するブレーキ装置３２の対応制御によって、いずれの場合にも、電気モータ駆動装置１００のスイッチがオフでも、後部ドア２がその各位置を維持するようにすることが可能である。
【００３４】
このような場合の後部ドアの各位置を定めて、ブレーキ力を決定するために、対応センサ（不図示）を調節装置３に設けることができる。この対応センサは、例えば、モータシャフトに回転可能に連結された磁気コードディスク、およびハウジングに取り付けられたホールセンサである。この場合、センサは、電気モータ駆動装置１００とスピンドル駆動装置１１との間に配置し、連続的なモータシャフトを備えた電気モータ８を用いる場合には、空間的理由などから、変速ユニット９とは反対を向いた電気モータ８の側に配置することができる。
【００３５】
図２に示す本発明による調節装置３の動作モードについて述べる。スピンドルナット１５が、図２に示されている静止位置にあると仮定する。この位置では、自動車１の後部ドア２が閉じており、円筒コイルばね２８は、最大のプレストレスを受けている。
【００３６】
自動車１の後部ドア２を開ける場合には、電気モータ装置１００が起動して、スピンドル１３が作動させられる。これにより、スピンドルナット１５は、管状ガイド２６のガイド凹部２４に沿って前方に移動し、円筒コイルばね２８は、後部ドア２の開く運動を補助する。この動作は、後部ドア２が完全に開いた位置に達して、リミットスイッチ（不図示）により、（手動または遠隔制御で）電気モータ駆動装置１００のスイッチがオフにされるまで続く。
【００３７】
円筒コイルバネ２８を取り囲んでいる保護管３４は、ディスク型ストッパー１８に固定されており、このストッパー１８と共に前方に移動して、円筒コイルばね２８が横方向に座屈するのを確実に防止する。しかし、保護管３４は、スピンドルナット１５が延出位置に移動しても、ハウジング７の後部に維持される。
【００３８】
後部ドア２が再び閉じられる場合には、電気モータ駆動装置１００が起動して、電気モータ駆動装置１００のモータシャフトが逆回転し、スピンドル１３は反対方向に回転させられる。
【００３９】
後部ドア２が完全に閉じると、対応するリミットスイッチ（不図示）によって電気モータ駆動装置１００のスイッチは再びオフにされる。
【００４０】
本発明は、上記の例示的な実施形態に限定されるものではない。例えば、自動車のドアが、力のプロフィールが一定のガススプリングを別に備えている場合には、円筒コイルバネ、そして場合によっては、ブレーキ装置も備えなくても良い。
【００４１】
しかし、従来のガススプリングと同様に、自動車または後部ドアの両側に配置される２つの調節装置によって作動させることができるように、対応する自動車の後部ドアに設けることもできる。
【００４２】
本発明による調節装置を、自動車の側面のドアを作動させるためにデザインすることもできる。また、スライドルーフを作動させるために、後部ドアのヒンジとシャフトの領域に、調節装置を配置することも可能である。
【００４３】
さらに、本発明による調節装置によって、自動座席調節装置とすることも可能である。
【００４４】
しかし、スピンドル駆動装置のために小型の構造にすると同時に、比較的大きな力を伝達するために、本発明によると、常に、プッシュロッドとして形成されたスピンドルナットと、好ましくは管状ガイドも、一体部品とされている。
【００４５】
スピンドルナットの雌ねじが設けられている部分の幅は、スピンドルの直径の２．５倍未満であるが、スピンドルの直径よりもかなり大きく、通常は、スピンドルの直径よりも小さくするべきではない。さらに、雌ねじを備えた複数の不連続な部分を設けることも可能である。
【００４６】
リミットスイッチを用いて、電気モータ駆動装置のスイッチをオフにする代わりに、対応する電子制御装置によって、電気モータ駆動装置のスイッチをオフにすることも可能である。このために、モータシャフトの領域に配置されたセンサが、後部ドアまたはモータシャフトの各位置を測定するようにする（例えば、モータシャフトに固定された磁気ディスクが回転している際に、静止磁気検出器によって生成されるパルス数を測定し、この数を、事前に測定されて制御装置のメモリに保存された基準値と比較する）。
【００４７】
調節装置のハウジングは、必ずしも一体部品のハウジングとする必要はない。例えば、このハウジングを、調節装置に取り付けるために、２部品または多部品のものとするのが特に有利な場合もある。
【図面の簡単な説明】
【００４８】
【図１】本発明による調節装置が横に配置された、後部ドアが開いた状態の自動車の後部の模式図である。
【図２】スピンドルナットおよび管状ガイドを備えたスピンドル駆動装置を有する、図１に示した本発明による調節装置の長手方向の断面図である。
【図３】図２に示したスピンドル駆動装置のスピンドルナットの長手方向の断面図である。
【図４】図３の線ＩＶで示す方向から見たスピンドルナットの側面図である。
【図５】図２に示したスピンドル駆動装置の管状ガイドの部分断面図である。
【図６】図５の線ＶＩで示す方向から見た管状ガイドの側面図である。
【符号の説明】
【００４９】
１    自動車
２    後部ドア
３    調節装置
４    第１の傾斜結合部
５    ボディ
６    第２の傾斜結合部
７    管状ハウジング
８    電気モータ
９    変速ユニット
１０    出力シャフト
１１    スピンドル駆動装置
１２    第１のボールソケット
１３    スピンドル
１４    スピンドル軸受
１５    スピンドルナット
１６    長手方向軸
１７    前端部
１８    ディスク型ストッパー
１９    第２のボールソケット
２０    雌ねじ
２１    幅
２２    管状空洞部
２３    ガイド突起
２４    ガイド凹部
２５    内壁
２６    管状ガイド
２７    突起
２８    円筒コイルばね
３２    ブレーキ装置
３３    シャフト部
３４    保護管
１００    電気モータ駆動装置
【図１】
2009531572.tif 000003
【図２】
2009531572.tif 000004
【図３】
2009531572.tif 000005
【図４】
2009531572.tif 000006
【図５】
2009531572.tif 000007
【図６】
2009531572.tif 000008
【国際調査報告】
2009531572.tif 000009
2009531572.tif 000010
2009531572.tif 000011